(57)【要約】【課題】簡単な構造で弱い力で容易に開封することができ、開封後の開口縁部が安全で怪我を防ぐことができる開封機能付包装箱を提供する。【解決手段】一枚のブランクシートから一体的に打ち抜かれた箱体形成片１２から成り、箱体形成片１２には、互いに平行に連接された側面１４，１６，１８，２０と、側面１６，１８，２０に設けられ箱体形成片１２の表面から厚みの途中までの深さで形成されている表半切線５２，６４，６６，９０と、表半切線５２，６４，６６，９０に沿って裏面に設けられ裏半切線５４，７４，７８，９２を備える。裏半切線５４，７４，７８，９２は連続した波状等に設けられ、開封した開口縁部には、裏半切線５４，７４，７８，９２で切断された連続波状の剥離裏面部１０６による装飾模様が残される。【選択図】図１
2010149927.tif 000002
【特許請求の範囲】
【請求項１】
一枚のブランクシートから一体的に打ち抜かれた箱体形成片から成り、この箱体形成片には、互いに平行に連接された側面と、前記側面に設けられ前記箱体形成片の表面から厚みの途中までの深さで形成されている表半切線と、前記表半切線の近傍に前記表半切線に沿って設けられ前記箱体形成片の裏面から厚みの途中までの深さで形成されている裏半切線が設けられ、前記裏半切線は所定の装飾パターンに形成され、前記表半切線と前記裏半切線を破断して開封することにより、開封した開口縁部の剥離裏面部には、前記裏半切線により形成された装飾模様が残されることを特徴とする開封機能付包装箱。
【請求項２】
前記装飾模様は、切断端縁が波状に形成され、連続波状の剥離裏面部が、前記表半切線の位置から突出して残される請求項１記載の開封機能付包装箱。
【請求項３】
前記側面に一対の前記表半切線が設けられ前記一対の表半切線の内側は開封用の切離帯部となり、前記切離帯部の内側には前記表半切線に沿って前記裏半切線が設けられ、前記切離帯部を取り外した開口部の開口縁部には、前記裏半切線で切断され連続した波状の前記剥離裏面部が、前記表半切線の位置から開口部の中心に向かって突出して残される請求項１又は２記載の開封機能付包装箱。
【請求項４】
前記開封機能付包装箱は、４個の側面が折罫線で互いに直角に折り曲げられて筒状に組み立てられ、互いに平行な一対の側面の一方には、前記表半切線である正面表半切線と前記裏半切線である正面裏半切線が、前記側面の連接方向に対してほぼ平行に設けられ、他方の側面には前記側面の連接方向に対してほぼ平行に折曲線が設けられ、前記一対の側面に直角に交差する互いに平行な一対の側面には、前記正面表半切線と前記折曲線に連続する前記表半切線である横面表半切線と、前記表半切線に沿う前記裏半切線である横面裏半切線が設けられていることを特徴とする請求項１又は２記載の開封機能付包装箱。
【請求項５】
前記装飾模様は、前記表半切線と前記裏半切線とにより、前記箱体形成片の側面部分の表裏に剥離して切断された前記剥離裏面部に、前記裏半切線により形成された装飾模様が凹凸状に残るものである請求項１記載の開封機能付包装箱。
【請求項６】
前記装飾模様は、前記表半切線と前記裏半切線とにより、前記箱体形成片の側面部分の表裏に剥離して切断された前記剥離裏面部に、前記裏半切線により形成された文字を含むものである請求項５記載の開封機能付包装箱。
【発明の詳細な説明】
【技術分野】
【０００１】
この発明は、側面の一部に開封用の切断線が設けられている開封機能付包装箱に関する。
【背景技術】
【０００２】
従来、商品を収容して販売する包装箱には、開封用の切断線が設けられているものがある。この切断線は、等間隔で切残部を介して切り部が並べられているミシン線やジッパー線と言われるものである。さらに、ミシン線等の他に、特許文献１，２に開示されているように、表面の半切線と裏面の半切線を僅かにずらして互いに平行に一対設け、この一対の半切線に沿って包装箱の側面を破断して開封するものがある。
【０００３】
特許文献１に開示されている紙箱は、天板の蓋となる部位を切断して開口を設けるものであり、蓋の外面に形成された外面半切線と、この外面半切線よりも内側の蓋内面に形成された内面半切線が設けられ、外面半切線と内面半切線の層間剥離を利用して開封するものである。
【０００４】
特許文献２に開示されているトップオープン型紙箱は、上面板の開口予定位置に表面側と裏面側の２本の近接する平行な半切れ線からなる段差半切れ線で開口可能に設けられ、２本の段差半切れ線の少なくとも一方を破線状半切れ線で設けているものである。
【先行技術文献】
【特許文献】
【０００５】
【特許文献１】特開２００６−８９０７０号公報
【特許文献２】特開２００６−１５１４６４号公報
【発明の概要】
【発明が解決しようとする課題】
【０００６】
上記背景技術の特許文献１，２に開示された破断線の場合、開封した開口部の周縁部または蓋部の周縁部に、層間剥離されて破断した半切線の縁部が残り、その縁部で手を切るおそれがあった。さらに、切残部は破断させた端部がそのまま露出し、外観形状がきれいではなく、収容した商品のイメージと合わない場合もあった。
【０００７】
この発明は、上記背景技術の問題点に鑑みてなされたものであり、簡単な構造で弱い力で容易に開封することができ、開封後の開口縁部がきれいであり、安全性も高い開封機能付包装箱を提供することを目的とする。
【課題を解決するための手段】
【０００８】
本発明は、一枚のブランクシートから一体的に打ち抜かれた箱体形成片から成り、この箱体形成片には、互いに平行に連接された側面と、前記側面に設けられ前記箱体形成片の表面から厚みの途中までの深さで形成されている表半切線と、前記表半切線の近傍に前記表半切線に沿って設けられ前記箱体形成片の裏面から厚みの途中までの深さで形成されている裏半切線が設けられ、前記裏半切線は所定の装飾パターンに形成され、前記表半切線と前記裏半切線を破断して開封することにより、開封した開口縁部の剥離裏面部には、前記裏半切線により形成された装飾模様が残される開封機能付包装箱である。前記装飾模様は、切断端縁が波状に形成され、連続波状の剥離裏面部が、前記表半切線の位置から突出して残されるものである。
【０００９】
また、前記裏半切線は一定の波形に形成され、開封した開口縁部に突出する前記剥離裏面部は、均一な波形となる。なお、前記裏半切線は、不ぞろいな波形や、連続する半円形など何でも良い。
【００１０】
また、前記開封機能付包装箱は、前記側面に一対の前記表半切線が設けられ前記一対の表半切線の内側は一方向に長い開封用の切離帯部となり、前記切離帯部の内側には前記表半切線に沿って前記裏半切線が設けられている。前記切離帯部を取り外した開口部の開口縁部には、前記裏半切線で切断された連続する曲線の前記剥離裏面部が、前記表半切線の位置から開口部の中心に向かって突出して残されている。
【００１１】
また、前記開封機能付包装箱は、４個の側面が折罫線で互いに直角に折り曲げられて筒状に組み立てられ、互いに平行な一対の側面の一方には、前記表半切線である正面表半切線と前記裏半切線である正面裏半切線が前記側面の連接方向に対してほぼ平行に設けられ、他方の側面には前記側面の連接方向に対してほぼ平行に折曲線が設けられ、前記一対の側面に直角に交差する互いに平行な一対の側面には、前記正面表半切線と前記折曲線に連続する前記表半切線である横面表半切線と、前記表半切線に沿う前記裏半切線である横面裏半切線がそれぞれ設けられている。
【００１２】
また、前記装飾模様は、前記表半切線と前記裏半切線とにより、前記箱体形成片の側面部分の表裏に剥離して切断された前記剥離裏面部に、前記裏半切線により形成された装飾模様が凹凸状に残るものでもよい。さらに、前記剥離裏面部に、前記裏半切線により形成された文字を含むものでもよい。
【発明の効果】
【００１３】
本発明の開封機能付包装箱は、簡単な構造で弱い力で容易に開封することができ、開封後の開口縁部は波形の曲線等の装飾模様を有した比較的柔らかい剥離裏面部が残り、開口縁部から商品を取り出すとき手に触れても安全であり、開口縁部に接触することによる怪我を防ぐことができる。また、開封すると、その切断端縁部に装飾模様が現れ、従来あまり見栄えが良くなかった開封口の外観が良好なものとなる。
【図面の簡単な説明】
【００１４】
【図１】この発明の第一実施形態の開封機能付包装箱の斜視図（ａ）と、切離帯部を取り外す途中の状態を示す斜視図（ｂ）と、切離帯部を取り外して開口部が形成された状態を示す斜視図（ｃ）と、開封した状態を示す斜視図（ｄ）である。
【図２】この発明の第一実施形態の開封機能付包装箱の展開図である。
【図３】この発明の第一実施形態の開封機能付包装箱の折り畳んだ状態を示す正面図である。
【図４】この発明の第二実施形態の開封機能付包装箱の斜視図（ａ）と、表半切線を破断する途中の状態を示す斜視図（ｂ）と、開封した状態を示す斜視図（ｃ）である。
【図５】この発明の第二実施形態の開封機能付包装箱の展開図である。
【図６】この発明の第三実施形態の開封機能付包装箱の開封状態の斜視図（ａ）と、さらに蓋を広げた状態の斜視図（ｂ）である。
【図７】この発明の第四実施形態の開封機能付包装箱の開封状態の斜視図（ａ）と、さらに蓋を広げた状態の斜視図（ｂ）である。
【発明を実施するための形態】
【００１５】
以下、この発明の実施形態について図面に基づいて説明する。図１〜図３はこの発明の第一実施形態を示すもので、この実施形態の開封機能付包装箱１０は、紙製等の一枚のブランクシートを打ち抜いて形成された箱体形成片１２を組み立てて設けられている。
図２は箱体形成片１２を表面から見た展開図であり、箱体形成片１２は、側面１４，１６，１８，２０が、互いに平行に連接して形成されている。側面１４，１６，１８，２０は、連接している幅方向は同じ長さであり、連接方向の長さは側面１４，１８が長くて互いにほぼ等しく、側面１６，２０は短くて互いにほぼ等しい。さらに、側面２０の側縁部には、開封機能付包装箱１０の組立状態で側面１４の裏面に糊付けされる糊付片２２が設けられている。側面１４，１６，１８，２０、糊付片２２は、各々折罫線２４，２６，２８，３０で区切られている。
【００１６】
側面１４において、側面どうしの連接方向に対して直角な方向の一端部には、矩形の内側上蓋片３２が折罫線３４で区切られて設けられている。側面１４の、折罫線３４と反対側の端部には、内側底蓋片３６が折罫線３８で区切られて設けられている。側面１４には、折罫線３４に近い位置に、折罫線３４に対して平行に開蓋時の折曲線４０が設けられている。折曲線４０の途中には、折り曲げ易いように短い切断線が４本設けられている。折曲線４０と折罫線２４の交点には、短い切断線４２が形成され、切断線４２は、折曲線４０と折罫線２４の交点に交差して一方の端部は側面１４の中心側へ向かって斜め下方に延出し、他方の端部は側面１６へ斜め上方に延出している。
【００１７】
側面１６の、側面１４の折罫線３４に隣接する端部には、台形状のフラップ４４が折罫線４６で区切られて設けられている。側面１６の、折罫線４６と反対側の端部には、台形状のフラップ４８が折罫線５０で区切られて設けられている。側面１６には、横面表半切線５２が設けられている。横面表半切線５２は、箱体形成片１２の表面から箱体形成片１２の厚みの途中に達する深さに切断された半切線で設けられ、折罫線２４と折曲線４０の交点から、斜め下方に延出して折罫線２６に達する直線である。折罫線２４と折罫線２６と交差する部分は、僅かに切り残されている。横面表半切線５２の少し底面側には、横面裏半切線５４が設けられている。横面裏半切線５４は、箱体形成片１２の裏面から箱体形成片１２の厚みの途中に達する深さに切断された半切線で設けられ、横面表半切線５２に対して平行な直線であり、折罫線２４の交点付近では折罫線２４に直角に交差するように曲がっている。なお、折曲線４０と折罫線２４の交点から折罫線２４に沿って短裏半切線４３が設けられ、横面裏半切線５４は短裏半切線４３の途中に達している。横面裏半切線５４の、折罫線２６と交差する部分は、折罫線２６に設けられた後述する切断線６８の途中に達している。
【００１８】
側面１８の、側面１６の折罫線４６に隣接する端部には、矩形の外側上蓋片５６が折罫線５８で区切られて設けられている。側面１８の、折罫線５８と反対側の端部には、矩形の外側底蓋片６０が折罫線６２で区切られて設けられている。側面１８の表面側には、側面１８の中心を挟んで一対の正面表半切線６４，６６が設けられている。正面表半切線６４は、折罫線５８に対してほぼ平行に、折罫線２６の近傍から折罫線２８の近傍に達して設けられ、中央部分が側面１８の中心へ近づくように下方に湾曲している。正面表半切線６６は、正面表半切線６４と対称形であり、中央部分が側面１８の中心へ近づくように上方に湾曲している。
【００１９】
側面１６との間の折罫線２６には、正面表半切線６４，６６の、折罫線２６側の端部を連結するコの字形の切断線６８が設けられている。切断線６８は、箱体形成片１２の厚みを貫通するものであり、正面表半切線６４，６６の端部の延長上に、切残部を介して連続する一対の横線部と、この横線部が折罫線２６を越えて側面１６に僅かに延出した端部を折罫線２６に対して平行に連結する縦線部が設けられ、一対の横線部と縦線部の間の角部は丸く面取りされている。側面２０との間の折罫線２８にも同様に、正面表半切線６４，６６の、折罫線２８側の端部を連結するコの字形の切断線７０が設けられている。正面表半切線６４，６６と、切断線６８，切断線７０で囲まれた部分は、一方向に長い開封用の切離帯部７２となる。
【００２０】
切離帯部７２の、正面表半切線６４の少し内側の裏面側には、正面裏半切線７４が設けられている。正面裏半切線７４は正面表半切線６４に沿って湾曲し、全体に均一に波形に設けられている。正面裏半切線７４の両端部には直線の短裏半切線７６がそれぞれ連続し、各短裏半切線７６の先端は切断線６８または切断線７０の上方の横線部に連続している。切離帯部７２の、正面表半切線６６の少し内側にも同様に、正面裏半切線７８が設けられている。正面裏半切線７８は正面表半切線６６に沿って湾曲し、全体に均一に細かい波形に設けられている。各正面裏半切線７８の両端部には、直線の短裏半切線８０がそれぞれ連続し、各短裏半切線８０の先端は切断線６８または切断線７０の下方の横線部に連続している。
【００２１】
側面２０の、側面１８の折罫線５８に連接する端部には、台形状のフラップ８２が折罫線８４で区切られて設けられている。側面２０の、折罫線８４と反対側の端部には、台形状のフラップ８６が折罫線８８で区切られて設けられている。側面２０の表面側には、横面表半切線９０が設けられている。横面表半切線９０は、側面１６の横面表半切線５２と、側面１８を挟んで対称形であり、折罫線２８と切断線７０との上側の交点から、斜め上に延出して折罫線３０に達する直線である。折罫線２８と折罫線３０と交差する部分は、僅かに切り残されている。横面表半切線９０の少し下方の裏面側には、横面裏半切線９２が設けられている。横面裏半切線９２は、側面１６の横面裏半切線５４と、側面１８を挟んで対称形である。
【００２２】
折罫線３０には切断線９４と短裏半切線９６が設けられ、切断線９４と短裏半切線９６は、折罫線２４の切断線４２、短裏半切線４３と、側面１８を挟んで対称形である。
【００２３】
糊付片２２には、切断線９４の近傍に、折罫線８４と平行な切断線９８が設けられている。切断線９８の両端部は、折罫線３０または糊付片２２の側縁部の間が切り残されている。
【００２４】
次に、この実施形態の開封機能付包装箱１０の組立方法の一例について説明する。なお、ここでは、図２が開封機能付包装箱１０の箱体形成片１２の表面を見たものであり、箱体形成片１２の表面が凸になる折り方を正折り、そして裏面が凸になる折り方を逆折りと称する。
【００２５】
まず、折罫線２８を正折りして糊付片２２の表面に糊１００を塗布する。次に、折罫線２４を正折りし、側面１４の裏面が糊１００により糊付片２２の表面に糊付けされ、図３に示す折り畳み状態となり、この状態で出荷される。次に、商品を収容し包装する工場等において、折罫線２４，２６，２８，３０を９０°に正折りして四角形の箱体にする。このとき、切離帯部７２の両端部は、切断線６８，７０により側面１６，２０から起こされて、側面１８の延長上に折罫線２６，２８を越えて僅かに突出する。
【００２６】
次に、内側底蓋片３６の表面に糊１０２を塗布する。折罫線５０，８８でフラップ４８，８６を９０°に正折りし、その後折罫線３８で内側底蓋片３６を９０°に正折りし、折罫線６２で外側底蓋片６０を９０°に正折りし、外側底蓋片６０の裏面が糊１０２により内側底蓋片３６の表面に糊付けされ、底面が形成される。この状態で、箱体内に商品を収容した後、内側上蓋片３２の表面に糊１０１を塗布し、折罫線４６，８４でフラップ４４，８２を９０°に正折りし、その後折罫線３４で内側上蓋片３２を９０°に正折りし、折罫線５８で外側上蓋片５６を９０°に正折りし、外側上蓋片５６の裏面が糊１０１により内側上蓋片３２の表面に糊付けされ、蓋面が形成され、図１（ａ）に示す状態となる。
【００２７】
次に、この実施形態の開封機能付包装箱１０の使用方法について説明する。開封機能付包装箱１０を開封するときは、切離帯部７２の切断線６８で区切られた端部を持ち、図１（ｂ）に示すように正面表半切線６４，６６、正面裏半切線７４，７８を破断しながら引き剥がして、図１（ｃ）に示すように切離帯部７２を取り外して側面１８を上部と下部に分断する。なお、切離帯部７２は、切断線６８と反対側の切断線７０で区切られた端部を持って切離帯部７２を取り外しても良い。切断線６８，７０は、短裏半切線７６，８０正面裏半切線７４，７８に連続しているため、いずれの方向からひきはがしてもきれいに正面裏半切線７４，７８が破断される。
【００２８】
切離帯部７２を取り外すと開口部１０４が形成され、作られた開口部１０４に指を入れて側面１８の上部を押し上げると、側面１６，２０が横面表半切線５２，９０、横面裏半切線５４，９２で破断されて上部と下部に分断する。このとき、図１（ｄ）に示すように側面１４が折曲線４０で任意の角度に逆折りされて、側面１６，１８，２０の上部が折曲線４０を中心に回転して開口部１０４が広がり、中に収容された商品を容易に取り出すことができる。開口部１０４の開口縁部には、正面表半切線６４，６６と正面裏半切線７４，７８により、紙面の表裏で剥離されて切断された波形の剥離裏面部１０６が表れる。剥離裏面部１０６は、正面表半切線６４，６６の位置から開口部の中心に向かって突出して残されている。側面１６，２０の分断された開口縁部にも、横面表半切線５２，９０と横面裏半切線５４，９２により、表裏で剥離されて切断された直線状の剥離裏面部１０８が、横面表半切線５２，９０の位置から突出して残されている。横面裏半切線５４，９２は、折罫線２４，３０上に設けられた短裏半切線４３，９６に交差して達しているため、剥離裏面部１０８の端部はきれいにカットされ、隣接する側面１４と糊付片２２の裏面に連続することが無い。
【００２９】
この実施形態の開封機能付包装箱１０によれば、簡単な構造で弱い力で容易に開封することができる。さらに、開封後の開口縁部には、表面が剥離されて薄くなり比較的柔らかく波形の剥離裏面部１０６が露出すれるため、開口縁部から商品を取り出すときに、剥離裏面部１０６の縁に手が触れても、手を切ることがなく安全であり、開口縁部に接触することによる怪我を防ぐことができる。剥離裏面部１０６は波形が綺麗な状態で残り、開封後の外観が良好である。また、切離帯部７２は、切断線６８側の端部と、切断線７０側の端部の両方から破断することができるため、開封方向を自由に選択することができる。切離帯部７２は、大部分が正面表半切線６４，６６と正面裏半切線７４，７８で囲まれているため、紙を貫通する切断線の部分が少ないため、カートン強度を低下させることが無く、輸送時の安全を確保することができる。切離帯部７２は、カートン強度を低下させないため、表裏面に形成される正面表半切線６４，６６と正面裏半切線７４，７８に、切り残し部を短い間隔で設けることが不要であり、正面表半切線６４，６６や正面裏半切線７４，７８をなめらかな連続した直線や曲線で形成することができる。このため、表面デザインが自由になり、切離帯部７２の位置を気にせず、自由に表現することができる。
【００３０】
次にこの発明の第二実施形態について図４、図５に基づいて説明する。なお、ここで、上記実施形態と同様の部材は同一の符号を付して説明を省略する。この実施形態の開封機能付包装箱１１０は、紙製等の一枚のブランクシートを打ち抜いて形成された箱体形成片１１２を組み立てて設けられている。図５は箱体形成片１１２を表面から見た展開図であり、箱体形成片１１２の側面１８には、折罫線５８に対して平行に正面表半切線１１４が設けられている。正面表半切線１１４は、折罫線２６と側面１６の横面表半切線５２との交点と、折罫線２８と側面２０の横面表半切線９０との交点を結ぶ直線であり、正面表半切線１１４の途中には、中心の両側２箇所に切残部１１６が設けられている。正面表半切線１１４の、折罫線６２に近い位置には、正面裏半切線１１８が設けられている。正面裏半切線１１８は、正面表半切線１１４に対して平行な直線であり、全体に均一に細かい波形が設けられている。正面裏半切線１１８の両端部は、傾斜する直線で設けられ正面表半切線１１４と折罫線２６、または正面表半切線１１４と折罫線２８の交点に連続している。
【００３１】
側面１６には、横面表半切線５２と折罫線２６の交点から横面裏半切線５４にほぼ直角に達する短裏半切線１２０が設けられている。側面２０には、横面表半切線９０と折罫線２８の交点から横面裏半切線９２にほぼ直角に達する短裏半切線１２２が設けられている。
【００３２】
この実施形態の開封機能付包装箱１１０の組立方法は、上記実施形態の開封機能付包装箱１０と同様であり、図４（ａ）に示す組立状態となる。この実施形態の開封機能付包装箱１１０の使用方法は、先ず開封機能付包装箱１１０を開封するときは図４（ｂ）に示すように、側面１８の正面表半切線１１４より僅かに上を箱内方向へ押して、正面表半切線１１４の切残部１１６を破断し、側面１８を上部と下部に分断する。そして、破断された正面表半切線１１４に指を入れて側面１８の上部を押し上げると、側面１６，２０が横面表半切線５２，９０、横面裏半切線５４，９２で破断されて上部と下部に分断される。このとき、図４（ｃ）に示すように側面１４が折曲線４０で任意の角度に逆折りされて、側面１６，１８，２０の上部が折曲線４０を中心に回転して破断された正面表半切線１１４で開口部が形成され、中の商品を容易に取り出すことができる。破断された正面表半切線１１４の縁部には、正面裏半切線１１８で切断された波形の剥離裏面部１２６が、正面表半切線１１４の位置から突出して残される。側面１６，２０の分断された部分にも、横面裏半切線５４，９２で切断された直線の剥離裏面部１２４，１２５が、横面表半切線５２，９０の位置から突出して残される。
【００３３】
この実施形態の開封機能付包装箱１１０によれば、上記実施形態と同様の効果を有するものである。側面１８には、正面表半切線１１４が１本設けられているだけであり、外観がすっきりとしたものであり、またカートン強度が高いものとなる。
【００３４】
次にこの発明の第三実施形態について図６に基づいて説明する。なお、ここで、上記実施形態と同様の部材は同一の符号を付して説明を省略する。この実施形態の開封機能付包装箱１３０は、紙製等の一枚のブランクシートを打ち抜いて形成された箱体形成片を組み立てて設けられている。この開封機能付包装箱１３０には、一対の側面表半切線１３２，１３４が、側面１６の表面から湾曲して互いに対称に広がりながら連続し、側面１８の表面で直線状になり、互いに平行に延び、側面１８と側面２０の間の折罫線２８に達している。側面表半切線１３２，１３４の側面１６に位置した端部は開封摘み片１３６の両側縁部につながっている。側面１６，１８の裏面にも、側面表半切線１３２，１３４と所定の幅を空けてほぼ平行に、側面裏半切線１３８，１４０が設けられている。側面裏半切線１３８，１４０は、円弧状の連続した幾何学模様の端縁が形成されている。さらに、側面表半切線１３２，１３４と側面裏半切線１３８，１４０の間の裏面には、飛び飛びに独立して形成された幾何学形状の模様から成る側面裏半切線１４２，１４４が形成されている。
【００３５】
この実施形態の包装用箱１３０を開封するには、図６に示すように、側面１６の開封摘み片１３６を摘んで引き上げ、側面表半切線１３２，１３４と側面裏半切線１３８，１４０に沿って、側面１６，１８を開封する。これにより、側面１６，１８の開口縁部から延出した剥離裏面部１４６に、側面裏半切線１３８，１４０と側面裏半切線１４２，１４４による幾何学模様１４８ａが表れる。側面裏半切線１４２，１４４による模様は、開口部となっている。さらに、側面１６，１８を開封した蓋片１８ａの裏面側の側縁部には、幾何学模様１４８ａのネガ形状で同様の幾何学模様１４８ｂが表れ、側面裏半切線１４２，１４４による模様が凸部となっている。
【００３６】
この実施形態の開封機能付包装箱１３０によれば、上記実施形態と同様の効果を有し、開封により開封縁部には、きれいな模様が表れ、開封口の外観を良好なものとする。
【００３７】
次にこの発明の第四実施形態について図７に基づいて説明する。なお、ここで、上記実施形態と同様の部材は同一の符号を付して説明を省略する。この実施形態の開封機能付包装箱１５０は、上記第三実施形態と同様の構成であり、開封口に表れる剥離裏面部１４６の模様に文字１５２が含まれているものである。これにより、開封後の注意書きやメッセージ等を表示することができ、種々の用途に利用することができる。
【００３８】
なお、この発明は上記実施形態に限定されるものではなく、各表半切線の形状や設ける位置は、自由に設定可能であり、各裏半切線の形状も均一な波形以外でもよく、不規則な波形や一方向に傾斜した波、連続する三角形や半円形等、何でも良い。表半切線と裏半切線の間隔も、適宜変更可能である。さらに、上下に分断される３個の側面のすべての裏半切線を、直線以外の波形等にしてもよい。立方体に組み立てられる包装箱以外に、ミシン線で開封されるいろいろな形状の包装用品に使用することができる。
【符号の説明】
【００３９】
１０  開封機能付包装箱
１２  箱体形成片
１４，１６，１８，２０  側面
４０  折曲線
５２，９０  横面表半切線
５４，９２  横面裏半切線
６４，６６  正面表半切線
７２  切離帯部
７４，７８  正面裏半切線
１０４  開口部
１０６，１０８  剥離裏面部
【図１】
2010149927.tif 000003
【図２】
2010149927.tif 000004
【図３】
2010149927.tif 000005
【図４】
2010149927.tif 000006
【図５】
2010149927.tif 000007
【図６】
2010149927.tif 000008
【図７】
2010149927.tif 000009